(57)【特許請求の範囲】
【請求項１】
駒の一端に凸部が他端に凹部が形成され、前記凸部と前記凹部に連結部材が係合する孔を有し、前記一方の駒の凸部に形成した孔と前記他方の駒の凹部に形成した孔に前記連結部材を挿入して両駒を連結する腕時計用バンドにおいて、
前記一方の駒の凸部に形成した孔は前記連結部材の径より大きく形成すると共に、前記凸部に形成した孔のうち前記駒の外方側を外方端部と称する時、前記駒の連結状態において、前記連結部材は、前記外方端部方向に圧縮性を有する弾性部材と共に前記凸部の孔に収納されていることを特徴とする腕時計用バンド。
【請求項２】
前記駒の凸部に形成した孔は長円形の長孔により形成されていることを特徴とする請求項１に記載の腕時計用バンド。
【請求項３】
駒の両端に凹部が形成され、一方の駒の凹部と他方の駒の凹部とを連結片を用いて連結した腕時計用バンドにおいて、
前記連結片は断面長円形を有すると共に前記駒と前記連結片は連結部材により固定されており、前記駒の連結状態において、前記連結部材は、前記駒側にある前記連結片の端部方向に圧縮性を有する弾性部材と共に前記連結片の長円形内に収納されていることを特徴とする腕時計用バンド。
【請求項４】
前記弾性部材がゴム、樹脂の中の一つであることを特徴とする請求項１又は請求項３に記載の腕時計用バンド。
【請求項５】
前記連結部材は、ピン、バネ棒、ネジの何れかにより形成されていることを特徴とする請求項１又は請求項３に記載の腕時計用バンド。
【発明の詳細な説明】
【０００１】
【発明の属する技術分野】
本発明は、腕時計用のバンド、特に金属製バンドの連結構造に関するものである。
【０００２】
【従来の技術】
腕時計の金属製バンドは多数の駒をピンで連結して構成されている。
バンドの形式としては、駒と駒を直接連結する形式のもの、例えば実開昭５２−１３３６６６号公報、実開昭６２−１２０８０６号に記載されたものがある。別の形式としては、実開昭４９−１２４０７６号公報に記載されたもののように、駒と駒を駒より小形の連結片により連結したものがある。
図９は実開昭４９−１２４０７６号公報に開示されたバンドの一部を示す斜視図、図１０は連結片の断面図である。このバンドはＩ字形状の駒１と、断面長円形の環状の連結片２と、両者を連結するピン３とよりなる。
このバンドは不使用時においては、駒と駒の間の間隙の長さだけは伸縮できるが、バンドを腕に装着した状態では殆ど伸縮できない。
【０００３】
【発明が解決しようとする課題】
即ち、駒をピンで連結した金属製バンドは伸縮不能である。従って、このようなバンドを腕に装着した場合、例えば、手首を腕に対して曲げると、バンドによって腕が締め付けられたり、バンドが手首に食い込んだりして痛みを感じさせることがある。
また、夕方になって、腕がむくんでくると腕を締め付けられ、苦痛を感ずることがある。
更に、金属バンドの場合、バンドの長さ調節が駒を取り外して行われるため、バンド長さの微調節ができず、手首にフィットした装着感が得られないことがある。
本発明の目的は、上記のような問題点を解決し、簡単構造で伸縮ができ、装着感の良好な腕時計用バンドを提供することにある。
【０００４】
【課題を解決するための手段】
本発明による腕時計用バンドは、駒の一端に凸部が他端に凹部が形成され、前記凸部と前記凹部に連結部材が係合する孔を有し、前記一方の駒の凸部に形成した孔と前記他方の駒の凹部に形成した孔に前記連結部材を挿入して両駒を連結する腕時計用バンドにおいて、前記一方の駒の凸部に形成した孔は前記連結部材の径より大きく形成すると共に、前記凸部に形成した孔のうち前記駒の外方側を外方端部と称する時、前記駒の連結状態において、前記連結部材は、前記外方端部方向に圧縮性を有する弾性部材と共に前記凸部の孔に収納されていることを特徴とする。
請求項２による腕時計用バンドは、前記駒の凸部に形成した孔は長円形の長孔により形成されていることを特徴とする。
【０００５】
また、本発明による腕時計用バンドは、駒の両端に凹部が形成され、一方の駒の凹部と他方の駒の凹部とを連結片を用いて連結した腕時計用バンドにおいて、前記連結片は断面長円形を有すると共に前記駒と前記連結片は連結部材により固定されており、前記駒の連結状態において、前記連結部材は、前記駒側にある前記連結片の端部方向に圧縮性を有する弾性部材と共に前記連結片の長円形内に収納されていることを特徴とする。
請求項４による腕時計用バンドは、前記弾性部材がゴム、樹脂の中の一つであることを特徴とする。
請求項５による腕時計用バンドは、前記連結部材が、ピン、バネ棒、ネジの何れかにより形成されていることを特徴とする。
【０００６】
【発明の実施の形態】
図１は本発明による腕時計用バンドの連結構造の第一の実施形態を備えたバンドの一部で、駒を分離した状態を示す斜視図、図２は隣接する駒を連結した状態を示す切断平面図である。
金属製又は硬質樹脂製の駒１０は連結部としてバンド長手方向の一端に凸部１１と他端に凹部１２を有し、凸部１１のバンド短手方向には長円形の長孔１３が形成され、凹部１２の一対の突出部には円形の孔１４が形成されている。長孔１３の外方端部内には、ゴム、樹脂等の圧縮性を有する弾性材よりなる円筒形又は円柱形の弾性部材１５が係合され、その弾性部材１５の内側に、Ｃ形割りパイプ１６が嵌められている。
【０００７】
隣接する駒１０を連結するには、一方の駒１０の凸部１１を他方の駒１０ａの凹部１２に嵌め、連結部材としてのピン１７を一方の円形孔１４より割りパイプ１６に通し、図２に示すようにピン１７の先端を他方の円形孔１４ａに挿入して、両駒が連結される。
このような構成であるから、バンドの装着時、手首を曲げる等によりバンドに引張力が作用すると、弾性部材１５が圧縮して、バンドの径が増大し、腕を傷めたりすることがなく、装着感が良好となる。
尚、連結部材として、ピンの他に、バネ棒、ネジ等でもよい。
【０００８】
図３は、本発明の第二の実施形態を示す斜視図である。この形態においては、駒１８のバンド長手方向の一端の凸部２０に、少し大径の断面円形の孔２１が形成され、その外方端部内に断面三ケ月状の弾性部材２２が係合され、その内側に割りパイプ２３が係合されている。
この形態においても、前例と同様、ピンを割りパイプ２３内に挿入することにより駒と駒が連結される。
本形態も前例と同じ効果を有するが、凸部２０の突出長さが短くなり、外観の優れたバンドを形成することができる。また、断面が円形であるので長孔より孔の加工が容易である。
【０００９】
図４は、第三の実施形態を示す斜視図である。本形態ではバンド長手方向の一端の凸部２４に円形孔２５が形成され、その中に環状の弾性部材２６が挿入され、更にその中に割りパイプ２７が係合されている。
この例は孔２５を更に小径にすることができ、また製造、組立は、より簡単となる。
【００１０】
図５は第三の実施形態の変形例を示す斜視図で、連結ピン３０の外周に環状の弾性部材３１を直接嵌合したものである。
この例では、割りパイプがないので、その分だけ弾性部材３１の肉厚を大きくし、バンドの伸縮量を大きくすることができる。また部品点数が少なく、製造、組立をより容易とし、コストを下げることができる。
【００１１】
図６は図５の例における連結ピンをバネ棒３０ａで置き換えたものである。
この例によれば、バネ棒を外すことにより、駒の増減による長さの調節を容易に行うことができる。
【００１２】
図７は第四の実施形態を示す斜視図、図８は連結片の断面図である。この実施形態は、図９、１０に示した従来技術に本発明を適用したものである。
即ち、駒３２を連結する断面長円形の連結片３３の両端部に断面三ケ月形の弾性部材３４ａ、３４ｂを係合し、その内側において、ピン３５ａ、３５ｂにより駒３２を連結したものである。
【００１３】
この実施形態においては、断面三ケ月形の弾性部材を使用したが、第一の実施形態で使用した円筒形又は円柱形の弾性部材に置き換えることも可能である。また、ピンやバネ棒の外周に環状の弾性部材を直接嵌合したものを使用しても良い。（図５及び図６を参照のこと）更に、連結片の断面長円形の内面に、断面長円筒形の弾性部材を配設しても同様の効果が得られる。
【００１４】
尚、上記の実施携帯においては、２種類の駒形状で説明したが、他の駒形状にも実施できることは言うまでもなく、他の連結片又は他の形状の駒と組合わせることにより、デザインバリエーションを広げることができる。
【００１５】
【発明の効果】
本発明によれば、バンドが伸縮するので、手首、腕の向き等にバンドの径が順応し、腕を締めつけられたり痛めたりすることがなく、バンドの装着感が良い。更に、バンド長さの微調整が不要となる。調節駒の長さの長いものに特に有効である。また構造簡単で低コストで容易に製造組立ることができる。
【図面の簡単な説明】
【図１】本発明による連結構造の第一実施形態を備えたバンドの一部で、駒を分離した状態を示す斜視図である。
【図２】隣接する駒を連結した状態を示す切断平面図である。
【図３】本発明の第二の実施形態を示す斜視図である。
【図４】本発明の第三の実施形態を示す斜視図である。
【図５】本発明の第三の実施形態の第一の変形例を示す斜視図である。
【図６】本発明の第三の実施形態の第二の変形例を示す斜視図である。
【図７】本発明の第四の実施形態を示す斜視図である。
【図８】第四の実施形態の連結片の断面図である。
【図９】従来のバンドの一部を示す斜視図である。
【図１０】従来のバンドの連結片の断面図である。
【符号の説明】
１  駒
２  連結片
３  ピン
１０、１０ａ  駒
１１  凸部
１２  凹部
１３  長孔
１４、１４ａ  円形孔
１５  弾性部材
１６  割りパイプ
１７  ピン
１８  駒
２０  凸部
２１  孔
２２  弾性部材
２３  割りパイプ
２４  凸部
２５  円形孔
２６  弾性部材
２７  割りパイプ
３０  連結ピン
３０ａ  バネ棒
３１  弾性部材
３２  駒
３３  連結片
３４ａ、３４ｂ  弾性部材
３５ａ、３５ｂ  ピン
【図１】
0004136080.tif 000002
【図２】
0004136080.tif 000003
【図３】
0004136080.tif 000004
【図４】
0004136080.tif 000005
【図５】
0004136080.tif 000006
【図６】
0004136080.tif 000007
【図７】
0004136080.tif 000008
【図８】
0004136080.tif 000009
【図９】
0004136080.tif 000010
【図１０】
0004136080.tif 000011